(57)【要約】  本開示は、伝送方法、移動端末及びネットワーク機器を提供する。ここで、前記伝送方法において、上りトラフィックデータのスケジューリング及びＡ−ＣＳＩ報告の報告を指示することに用いられ、少なくとも１つのリソース指示情報が搬送されるＤＣＩをネットワーク側から受信することと、前記少なくとも１つのリソース指示情報によって決定されるＰＵＳＣＨを利用し、物理層の伝送されるべき上りトラフィックデータ及びＡ−ＣＳＩ報告の伝送処理を行うこととを含む。
2021520081.tif 000002
【特許請求の範囲】
【請求項１】
移動端末に用いられる伝送方法において、
上りトラフィックデータのスケジューリング及びＡ−ＣＳＩ（Ａｐｅｒｉｏｄｉｃｉｔｙ−Ｃｈａｎｎｅｌ  Ｓｔａｔｅ  Ｉｎｆｏｒｍａｔｉｏｎ）報告の報告を指示することに用いられ、少なくとも１つのリソース指示情報が搬送されるＤＣＩ（Ｄｏｗｎｌｉｎｋ  Ｃｏｎｔｒｏｌ  Ｉｎｆｏｒｍａｔｉｏｎ）をネットワーク側から受信することと、
前記少なくとも１つのリソース指示情報によって決定されるＰＵＳＣＨ（Ｐｈｙｓｉｃａｌ  Ｕｐｌｉｎｋ  Ｓｈａｒｅｄ  Ｃｈａｎｎｅｌ）を利用し、物理層の伝送されるべき上りトラフィックデータ及びＡ−ＣＳＩ報告の伝送処理を行うことと、
を含む、伝送方法。
【請求項２】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨを利用し、物理層の伝送されるべき上りトラフィックデータ及びＡ−ＣＳＩ報告の伝送処理を行うことは、
前記第１スロットオフセット値及び前記第２スロットオフセット値のうちの１つによって決定される１つのターゲットＰＵＳＣＨを利用し、物理層の伝送されるべき上りトラフィックデータ及びＡ−ＣＳＩ報告の伝送処理を行うことを含む、請求項１に記載の伝送方法。
【請求項３】
前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送され、
前記のＰＵＳＣＨを利用し、物理層の伝送されるべき上りトラフィックデータ及びＡ−ＣＳＩ報告の伝送処理を行うことは、
前記第１スロットオフセット値及び前記第２スロットオフセット値のうちの１つによって決定される１つのターゲットＰＵＳＣＨを利用し、物理層の伝送されるべき上りトラフィックデータ及びＡ−ＣＳＩ報告の伝送処理を行うことを含む、請求項１に記載の伝送方法。
【請求項４】
前記ターゲットＰＵＳＣＨは、前記第１スロットオフセット値と前記第２スロットオフセット値のうちの大きい方によって決定されるＰＵＳＣＨである、請求項２又は３に記載の伝送方法。
【請求項５】
前記ＤＣＩには、１つの第４スロットオフセット値に対応する１つの第４リソース指示情報のみが搬送され、
前記のＰＵＳＣＨを利用し、物理層の伝送されるべき上りトラフィックデータ及びＡ−ＣＳＩ報告の伝送処理を行うことは、
前記第４スロットオフセット値によって決定される１つのターゲットＰＵＳＣＨを利用し、物理層の伝送されるべき上りトラフィックデータ及びＡ−ＣＳＩ報告の伝送処理を行うことを含む、請求項１に記載の伝送方法。
【請求項６】
前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送され、
前記のＰＵＳＣＨを利用し、物理層の伝送されるべき上りトラフィックデータ及びＡ−ＣＳＩ報告の伝送処理を行うことは、
前記第６スロットオフセット値によって決定される１つのターゲットＰＵＳＣＨを利用し、物理層の伝送されるべき上りトラフィックデータ及びＡ−ＣＳＩ報告の伝送処理を行うことを含む、請求項１に記載の伝送方法。
【請求項７】
前記の１つのターゲットＰＵＳＣＨを利用し、物理層の伝送されるべき上りトラフィックデータ及びＡ−ＣＳＩ報告の伝送処理を行うことは、
前記１つのターゲットＰＵＳＣＨを利用し、前記物理層の伝送されるべき上りトラフィックデータ、及び所定のデータを伝送すること、
前記所定のデータは、ＣＳＩ参照リソース又はターゲット参照信号から生成されたＡ−ＣＳＩ報告、Ａ−ＣＳＩ報告履歴、又はＡ−ＣＳＩ報告が送信されなかったことを指示する指示情報のうちの１つであり、
又は、前記１つのターゲットＰＵＳＣＨを利用し、前記物理層の伝送されるべき上りトラフィックデータを伝送し、前記Ａ−ＣＳＩ報告の伝送をキャンセルすることを含む、請求項２、３又は５に記載の伝送方法。
【請求項８】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨを利用し、物理層の伝送されるべき上りトラフィックデータ及びＡ−ＣＳＩ報告の伝送処理を行うことは、
前記第１スロットオフセット値と前記第２スロットオフセット値とが異なる場合、前記第１スロットオフセット値に対応する第１ターゲットＰＵＳＣＨを利用し、前記物理層の伝送されるべき上りトラフィックデータを伝送し、前記第２スロットオフセット値に対応する第２ターゲットＰＵＳＣＨを利用して前記Ａ−ＣＳＩ報告を伝送すること、
又は、前記第１スロットオフセット値と前記第２スロットオフセット値が同じである場合、前記第１スロットオフセット値に対応するターゲットＰＵＳＣＨを利用し、前記物理層の伝送されるべき上りトラフィックデータ及び前記Ａ−ＣＳＩ報告を伝送することを含む、請求項１に記載の伝送方法。
【請求項９】
ネットワーク機器に用いられる伝送方法において、
上りトラフィックデータのスケジューリング及びＡ−ＣＳＩ報告の報告を指示することに用いられ、少なくとも１つのリソース指示情報が搬送されるＤＣＩを移動端末に送信することと、
前記少なくとも１つのリソース指示情報によって決定されるＰＵＳＣＨで上りトラフィックデータ及びＡ−ＣＳＩ報告の受信処理を行うこととを含む、伝送方法。
【請求項１０】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨで上りトラフィックデータ及びＡ−ＣＳＩ報告の受信処理を行うことは、
前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことを含む、請求項９に記載の伝送方法。
【請求項１１】
前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送され、
前記のＰＵＳＣＨで上りトラフィックデータ及びＡ−ＣＳＩ報告の受信処理を行うことは、
前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことを含む、請求項９に記載の伝送方法。
【請求項１２】
前記ターゲットＰＵＳＣＨは、前記第１スロットオフセット値と前記第２スロットオフセット値のうちの大きい方によって決定されるＰＵＳＣＨである、請求項１０又は１１に記載の伝送方法。
【請求項１３】
前記ＤＣＩには、１つの第４スロットオフセット値に対応する１つの第４リソース指示情報のみが搬送され、
前記のＰＵＳＣＨで上りトラフィックデータ及びＡ−ＣＳＩ報告の受信処理を行うことは、
前記第４スロットオフセット値によって決定される１つのターゲットＰＵＳＣＨで上りトラフィックデータ及びＡ−ＣＳＩ報告の受信処理を行うことを含む、請求項９に記載の伝送方法。
【請求項１４】
前記ネットワーク機器には、上りトラフィックデータに対応する全てのスロットオフセット値と、Ａ−ＣＳＩ報告に対応する全てのスロットオフセット値とが記録された１つの構成テーブルが格納され、
上りトラフィックデータのスケジューリング及びＡ−ＣＳＩ報告の報告を指示することに用いられるＤＣＩを移動端末に送信する前に、
上りトラフィックデータに対応する第１スロットオフセット値と、Ａ−ＣＳＩ報告に対応する第２スロットオフセット値をそれぞれ決定することと、
前記構成テーブルから、前記第１スロットオフセット値と前記第２スロットオフセット値のうちの大きい方によって前記第４リソース指示情報を決定することとを更に含む、請求項１３に記載の伝送方法。
【請求項１５】
前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送され、
前記のＰＵＳＣＨで上りトラフィックデータ及びＡ−ＣＳＩ報告の受信処理を行うことは、
前記第６スロットオフセット値によって決定される１つのターゲットＰＵＳＣＨで上りトラフィックデータ及びＡ−ＣＳＩ報告の受信処理を行うことを含む、請求項９に記載の伝送方法。
【請求項１６】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨで上りトラフィックデータ及びＡ−ＣＳＩ報告の受信処理を行うことは、
前記第１スロットオフセット値と前記第２スロットオフセット値とが異なる場合、前記第１スロットオフセット値に対応する第１ターゲットＰＵＳＣＨで前記上りトラフィックデータを受信し、前記第２スロットオフセット値に対応する第２ターゲットＰＵＳＣＨで前記Ａ−ＣＳＩ報告を受信すること、
又は、前記第１スロットオフセット値と前記第２スロットオフセット値が同じである場合、前記第１スロットオフセット値に対応するターゲットＰＵＳＣＨで前記上りトラフィックデータ及び前記Ａ−ＣＳＩ報告を受信することを含む、請求項９に記載の伝送方法。
【請求項１７】
上りトラフィックデータのスケジューリング及びＡ−ＣＳＩ報告の報告を指示することに用いられ、少なくとも１つのリソース指示情報が搬送されるＤＣＩをネットワーク側から受信するための受信モジュールと、
前記少なくとも１つのリソース指示情報によって決定されるＰＵＳＣＨを利用し、物理層の伝送されるべき上りトラフィックデータ及びＡ−ＣＳＩ報告の伝送処理を行うための伝送処理モジュールとを含む、移動端末。
【請求項１８】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記伝送処理モジュールは、具体的に、
前記第１スロットオフセット値及び前記第２スロットオフセット値のうちの１つによって決定される１つのターゲットＰＵＳＣＨを利用し、物理層の伝送されるべき上りトラフィックデータ及びＡ−ＣＳＩ報告の伝送処理を行うことに用いられる、請求項１７に記載の移動端末。
【請求項１９】
前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送され、
前記伝送処理モジュールは、具体的に、
前記第１スロットオフセット値及び前記第２スロットオフセット値のうちの１つによって決定される１つのターゲットＰＵＳＣＨを利用し、物理層の伝送されるべき上りトラフィックデータ及びＡ−ＣＳＩ報告の伝送処理を行うことに用いられる、請求項１７に記載の移動端末。
【請求項２０】
前記ターゲットＰＵＳＣＨは、前記第１スロットオフセット値と前記第２スロットオフセット値のうちの大きい方によって決定されるＰＵＳＣＨである、請求項１８又は１９に記載の移動端末。
【請求項２１】
前記ＤＣＩには、１つの第４スロットオフセット値に対応する１つの第４リソース指示情報のみが搬送され、
前記伝送処理モジュールは、具体的に、
前記第４スロットオフセット値によって決定される１つのターゲットＰＵＳＣＨを利用し、物理層の伝送されるべき上りトラフィックデータ及びＡ−ＣＳＩ報告の伝送処理を行うことに用いられる、請求項１７に記載の移動端末。
【請求項２２】
前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送され、
前記伝送処理モジュールは、具体的に、
前記第６スロットオフセット値によって決定される１つのターゲットＰＵＳＣＨを利用し、物理層の伝送されるべき上りトラフィックデータ及びＡ−ＣＳＩ報告の伝送処理を行うことに用いられる、請求項１７に記載の移動端末。
【請求項２３】
前記伝送処理モジュールは、具体的に、
前記１つのターゲットＰＵＳＣＨを利用し、前記物理層の伝送されるべき上りトラフィックデータ、及び所定のデータを伝送すること、
前記所定のデータは、ＣＳＩ参照リソース又はターゲット参照信号から生成されたＡ−ＣＳＩ報告、Ａ−ＣＳＩ報告履歴、又はＡ−ＣＳＩ報告が送信されなかったことを指示する指示情報のうちの１つであり、
又は、前記１つのターゲットＰＵＳＣＨを利用し、前記物理層の伝送されるべき上りトラフィックデータを伝送し、前記Ａ−ＣＳＩ報告の伝送をキャンセルすることに用いられる、請求項１８、１９又は２１に記載の伝送方法。
【請求項２４】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記伝送処理モジュールは、具体的に、
前記第１スロットオフセット値と前記第２スロットオフセット値とが異なる場合、前記第１スロットオフセット値に対応する第１ターゲットＰＵＳＣＨを利用し、前記物理層の伝送されるべき上りトラフィックデータを伝送し、前記第２スロットオフセット値に対応する第２ターゲットＰＵＳＣＨを利用して前記Ａ−ＣＳＩ報告を伝送すること、
又は、前記第１スロットオフセット値と前記第２スロットオフセット値が同じである場合、前記第１スロットオフセット値に対応するターゲットＰＵＳＣＨを利用し、前記物理層の伝送されるべき上りトラフィックデータ及び前記Ａ−ＣＳＩ報告を伝送することに用いられる、請求項１７に記載の移動端末。
【請求項２５】
上りトラフィックデータのスケジューリング及びＡ−ＣＳＩ報告の報告を指示することに用いられ、少なくとも１つのリソース指示情報が搬送されるＤＣＩを移動端末に送信するための送信モジュールと、
前記少なくとも１つのリソース指示情報によって決定されるＰＵＳＣＨで上りトラフィックデータ及びＡ−ＣＳＩ報告の受信処理を行うための受信処理モジュールとを含む、ネットワーク機器。
【請求項２６】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記受信処理モジュールは、具体的に、
前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことに用いられる、請求項２５に記載のネットワーク機器。
【請求項２７】
前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送され、
前記受信処理モジュールは、具体的に、
前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことに用いられる、請求項２５に記載のネットワーク機器。
【請求項２８】
前記ターゲットＰＵＳＣＨは、前記第１スロットオフセット値と前記第２スロットオフセット値のうちの大きい方によって決定されるＰＵＳＣＨである、請求項２６又は２７に記載のネットワーク機器。
【請求項２９】
前記ＤＣＩには、１つの第４スロットオフセット値に対応する１つの第４リソース指示情報のみが搬送され、
前記受信処理モジュールは、具体的に、
前記第４スロットオフセット値によって決定される１つのターゲットＰＵＳＣＨで上りトラフィックデータ及びＡ−ＣＳＩ報告の受信処理を行うことに用いられる、請求項２５に記載のネットワーク機器。
【請求項３０】
前記ネットワーク機器には、上りトラフィックデータに対応する全てのスロットオフセット値と、Ａ−ＣＳＩ報告に対応する全てのスロットオフセット値とが記録された１つの構成テーブルが格納され、
上りトラフィックデータに対応する第１スロットオフセット値と、Ａ−ＣＳＩ報告に対応する第２スロットオフセット値をそれぞれ決定するための第１決定モジュールと、
前記構成テーブルから、前記第１スロットオフセット値と前記第２スロットオフセット値のうちの大きい方によって前記第４リソース指示情報を決定するための第２決定モジュールとを更に含む、請求項２９に記載のネットワーク機器。
【請求項３１】
前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送され、
前記受信処理モジュールは、具体的に、
前記第６スロットオフセット値によって決定される１つのターゲットＰＵＳＣＨで上りトラフィックデータ及びＡ−ＣＳＩ報告の受信処理を行うことに用いられる、請求項２５に記載のネットワーク機器。
【請求項３２】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記受信処理モジュールは、具体的に、
前記第１スロットオフセット値と前記第２スロットオフセット値とが異なる場合、前記第１スロットオフセット値に対応する第１ターゲットＰＵＳＣＨで前記上りトラフィックデータを受信し、前記第２スロットオフセット値に対応する第２ターゲットＰＵＳＣＨで前記Ａ−ＣＳＩ報告を受信すること、
又は、前記第１スロットオフセット値と前記第２スロットオフセット値が同じである場合、前記第１スロットオフセット値に対応するターゲットＰＵＳＣＨで前記上りトラフィックデータ及び前記Ａ−ＣＳＩ報告を受信することに用いられる、請求項２５に記載のネットワーク機器。
【請求項３３】
プロセッサと、メモリと、前記メモリに格納され、前記プロセッサで動作するコンピュータプログラムとを含む移動端末であって、
前記コンピュータプログラムが前記プロセッサによって実行されると、請求項１〜８のいずれか１項に記載の伝送方法のことが実現される、移動端末。
【請求項３４】
プロセッサと、メモリと、前記メモリに格納され、前記プロセッサで動作するコンピュータプログラムとを含むネットワーク機器であって、
前記コンピュータプログラムが前記プロセッサによって実行されると、請求項９〜１６のいずれか１項に記載の伝送方法のことが実現される、ネットワーク機器。
【請求項３５】
コンピュータプログラムが格納されているコンピュータ読み取り可能な記憶媒体であって、
前記コンピュータプログラムがプロセッサによって実行されると、請求項１〜８のいずれか１項に記載の伝送方法のことが実現される、コンピュータ読み取り可能な記憶媒体。
【請求項３６】
コンピュータプログラムが格納されているコンピュータ読み取り可能な記憶媒体であって、
前記コンピュータプログラムがプロセッサによって実行されると、請求項９〜１６のいずれか１項に記載の伝送方法のことが実現される、コンピュータ読み取り可能な記憶媒体。
【発明の詳細な説明】
【技術分野】
【０００１】
本願は、２０１８年１月１２日に中国特許庁に提出された中国特許出願２０１８１００３１７１３．２の優先権を主張し、その全ての内容が援用によりここに取り込まれる。
本開示の実施例は、通信技術分野に係り、特に伝送方法、移動端末及びネットワーク機器に係る。
【背景技術】
【０００２】
関連技術において、上りトラフィックデータは、ＤＣＩ（Ｄｏｗｎｌｉｎｋ  Ｃｏｎｔｒｏｌ  Ｉｎｆｏｒｍａｔｉｏｎ）によってスケジューリングされ、ＰＵＳＣＨ（Ｐｈｙｓｉｃａｌ  Ｕｐｌｉｎｋ  Ｓｈａｒｅｄ  Ｃｈａｎｎｅｌ）で伝送される。ＤＣＩにおける時間領域ＰＵＳＣＨリソース（Ｔｉｍｅ−ｄｏｍａｉｎ  ＰＵＳＣＨ  ｒｅｓｏｕｒｃｅｓ）フィールドは、ＲＲＣ構成テーブルにおける行番号を指示する。ここで、各行は、ＰＵＳＣＨ送信時刻とＤＣＩスケジューリング時刻の上りスロットオフセット値及び開始、長さ指示ＳＬＩＶなどの情報を定義する。ここで、上りスロットオフセットの設定は、主に移動端末の処理時間を考慮して行われる。
【０００３】
Ａ−ＣＳＩ（Ａｐｅｒｉｏｄｉｃｉｔｙ−Ｃｈａｎｎｅｌ  Ｓｔａｔｅ  Ｉｎｆｏｒｍａｔｉｏｎ）報告は、ＤＣＩ（Ｆｏｒｍａｔ  ０−１）内のＣＳＩ要求フィールド（ＣＳＩ  ｒｅｑｕｅｓｔ  ｆｉｅｌｄ）によってトリガされ、ＰＵＳＣＨで伝送される。ＣＳＩ報告時刻とＡ−ＣＳＩ報告のＤＣＩトリガ時刻とのスロットオフセットの複数の数値は、ＲＲＣ（Ｒａｄｉｏ  Ｒｅｓｏｕｒｃｅ  Ｃｏｎｔｒｏｌ）シグナリングによって設定され、Ａ−ＣＳＩ報告のトリガＤＣＩにおいて具体的な時間間隔を指示する。Ａ−ＣＳＩにＮＲｅｐ≧１のＣＳＩ報告が含まれる場合、Ｙｉ，ｊをｊ番目の報告構成（ｊ＝０，…，ＮＲｅｐ−１）のスロットオフセットのｉ番目の利用可能なスロットオフセット値とすると、ＤＣＩにおけるスロットオフセットを指示するフィールドのｉ番目のスロットオフセット値Ｙｉ＝ｍａｘｊＹｉ，ｊである。
【０００４】
しかしながら、Ａ−ＣＳＩ報告が導入されると、ＤＣＩによって、上りトラフィックデータ伝送のスケジューリング及びＡ−ＣＳＩ報告のトリガが同時にできるが、それぞれ指示するＰＵＳＣＨ送信のスロットオフセットが一致しない可能性がある。これに対し、現在、どのように処理されるかが明確ではない。従って、上りトラフィックデータ伝送のスケジューリング及びＡ−ＣＳＩ報告のトリガをＤＣＩによって同時に行う際の処理を規範化する必要がある。
【発明の概要】
【課題を解決するための手段】
【０００５】
第１方面において、本開示の実施例は、移動端末に用いられる伝送方法を提供する。
この方法において、
上りトラフィックデータのスケジューリング及びＡ−ＣＳＩ報告の報告を指示することに用いられ、少なくとも１つのリソース指示情報が搬送されるＤＣＩをネットワーク側から受信することと、
前記少なくとも１つのリソース指示情報によって決定されるＰＵＳＣＨを利用し、物理層の伝送されるべき上りトラフィックデータ及びＡ−ＣＳＩ報告の伝送処理を行うことと、を含む。
【０００６】
第２方面において、本開示の実施例は、ネットワーク機器に用いられる伝送方法を提供する。
この方法において、
上りトラフィックデータのスケジューリング及びＡ−ＣＳＩ報告の報告を指示することに用いられ、少なくとも１つのリソース指示情報が搬送されるＤＣＩを移動端末に送信することと、
前記少なくとも１つのリソース指示情報によって決定されるＰＵＳＣＨで上りトラフィックデータ及びＡ−ＣＳＩ報告の受信処理を行うことと、を含む。
【０００７】
第３方面において、本開示の実施例は、移動端末を更に提供する。
この移動端末は、
上りトラフィックデータのスケジューリング及びＡ−ＣＳＩ報告の報告を指示することに用いられ、少なくとも１つのリソース指示情報が搬送されるＤＣＩをネットワーク側から受信するための受信モジュールと、
前記少なくとも１つのリソース指示情報によって決定されるＰＵＳＣＨを利用し、物理層の伝送されるべき上りトラフィックデータ及びＡ−ＣＳＩ報告の伝送処理を行うための伝送処理モジュールと、を含む。
【０００８】
第４方面において、本開示の実施例は、ネットワーク機器を更に提供する。
このネットワーク機器は、
上りトラフィックデータのスケジューリング及びＡ−ＣＳＩ報告の報告を指示することに用いられ、少なくとも１つのリソース指示情報が搬送されるＤＣＩを移動端末に送信するための送信モジュールと、
前記少なくとも１つのリソース指示情報によって決定されるＰＵＳＣＨで上りトラフィックデータ及びＡ−ＣＳＩ報告の受信処理を行うための受信処理モジュールと、を含む。
【０００９】
第５方面において、本開示の実施例は、プロセッサと、メモリと、前記メモリに格納され、前記プロセッサで動作するコンピュータプログラムとを含む移動端末を更に提供し、
前記コンピュータプログラムが前記プロセッサによって実行されると、上記伝送方法のことが実現される。
【００１０】
第６方面において、本開示の実施例は、プロセッサと、メモリと、前記メモリに格納され、前記プロセッサで動作するコンピュータプログラムとを含むネットワーク機器を更に提供し、
前記コンピュータプログラムが前記プロセッサによって実行されると、上記伝送方法のことが実現される。
【００１１】
第７方面において、本開示の実施例は、コンピュータプログラムが格納されているコンピュータ読み取り可能な記憶媒体を更に提供し、
前記コンピュータプログラムがプロセッサによって実行されると、上記第１方面の伝送方法のことが実現される。
【００１２】
第８方面において、本開示の実施例は、コンピュータプログラムが格納されているコンピュータ読み取り可能な記憶媒体を更に提供し、
前記コンピュータプログラムがプロセッサによって実行されると、上記第２方面の伝送方法のことが実現される。
【図面の簡単な説明】
【００１３】
【図１】本開示の実施例の伝送方法のフローチャートである。
【図２】本開示の実施例の別の伝送方法のフローチャートである。
【図３】本開示の実施例の移動端末の構造図その１である。
【図４】本開示の実施例のネットワーク機器の構造図その１である。
【図５】本開示の実施例の移動端末の構造図その２である。
【図６】本開示の実施例のネットワーク機器の構造図その２である。
【発明を実施するための形態】
【００１４】
本開示の実施例の技術手段をより明確に説明するために、以下、本開示の実施例の説明に必要な図面を簡単に説明する。以下の説明における図面は、本開示の一部の実施例にすぎず、当業者にとって、創造性のある作業をすることなく、これらの図面から他の図面も得られることは、明らかである。
【００１５】
図１に示すように、本開示の実施例は、移動端末に用いられる伝送方法を提供し、以下のステップを含む。
ステップ１０１において、上りトラフィックデータのスケジューリング及びＡ−ＣＳＩ報告の報告を指示することに用いられるＤＣＩをネットワーク側から受信する。
具体的に、このＤＣＩには、少なくとも１つのリソース指示情報が搬送される。このリソース指示情報は、上りトラフィックデータ及び／又はＡ−ＣＳＩ報告に対応する。
ステップ１０２において、ＰＵＳＣＨを利用し、物理層の伝送されるべき上りトラフィックデータ及びＡ−ＣＳＩ報告の伝送処理を行う。
なお、このＰＵＳＣＨは、このＤＣＩに搬送される少なくとも１つのリソース指示情報によって決定される。
【００１６】
本開示の具体的な実施例において、ＰＵＳＣＨを利用し、上りトラフィックデータ及びＡ−ＣＳＩ報告の伝送処理を同時に行うことは、
上りトラフィックデータに関して言えば、現在、上りトラフィックデータの伝送リクエストがないケースと、
現在、上りトラフィックデータの伝送リクエストがあり、且つ既に生成されているケースと、
現在、上りトラフィックデータの伝送リクエストがあるが、符号化が完了していないなど、データ処理が完了していないケースとの３種類のケースを含む。
【００１７】
上記の各種類のケースに対し、端末面から見ると、伝送されるべき上りトラフィックデータが物理層にある場合には、現在上りトラフィックデータの伝送リクエストがあり、且つ既に生成されていることを示すが、伝送されるべき上りトラフィックデータが物理層にない場合には、現在上りトラフィックデータの伝送リクエストがない場合もあれば、現在上りトラフィックデータの伝送リクエストがあるもののデータ処理が完了していない場合もある。
【００１８】
従って、本開示の具体的な実施例において、物理層の伝送されるべき上りトラフィックデータの伝送処理を行うことは、伝送されるべき上りトラフィックデータが物理層にある場合には、決定されたＰＵＳＣＨによってデータを伝送するが、伝送されるべき上りトラフィックデータが物理層にない場合には、今回のトラフィックデータの伝送を諦める。
【００１９】
本開示の実施例の伝送方法において、上りトラフィックデータのスケジューリング及びＡ−ＣＳＩ報告の報告を指示することに用いられ、少なくとも１つのリソース指示情報が搬送されるＤＣＩをネットワーク側から受信し、この少なくとも１つのリソース指示情報によって決定されるＰＵＳＣＨを利用し、物理層の伝送されるべき上りトラフィックデータ及びＡ−ＣＳＩ報告の伝送処理を行うことによって、上りトラフィックデータ伝送のスケジューリング及びＡ−ＣＳＩ報告のトリガを１つのＤＣＩによって同時に行う際に、上りトラフィックデータとＡ−ＣＳＩ報告をどのように伝送するかを明らかにすることができる。
【００２０】
本開示の具体的な実施例において、このＤＣＩには、１つのリソース指示情報が搬送される可能性もあれば、２つのリソース指示情報が搬送される可能性もある。リソース指示情報によって決定されるＰＵＳＣＨは、１つである可能性もあれば、２つである可能性もある。以下、詳細に説明する。
【００２１】
通常、ネットワーク側と移動端末側の両方に同じＲＲＣ構成テーブルが格納されるが、移動端末は、この構成テーブル及びリソース指示情報に基づいて、ＰＵＳＣＨの送信に用いられる時間領域リソースを決定することができる。本開示の具体的な実施例において、上りトラフィックデータのスケジューリング及びＡ−ＣＳＩ報告の報告は、それぞれのＲＲＣ構成テーブルを用いてもよいし、同じＲＲＣ構成テーブルを用いてもよい。以下詳細に説明する。
【００２２】
上りトラフィックデータのスケジューリング及びＡ−ＣＳＩ報告の報告にそれぞれのＲＲＣ構成テーブルが用いられる場合、ネットワーク側と移動端末側にそれぞれ２つのＲＲＣ構成テーブルが格納される。
このＲＲＣ構成テーブルは、以下の表１と表２に示すように、
リソース指示情報を記録するための番号フィールド、
対応するスロットオフセット値を記録するためのスロットオフセットフィールド、
スケジューリングされたＰＵＳＣＨの開始シンボルを記録するためのスロット開始シンボルフィールド、及び、
スケジューリングされたＰＵＳＣＨの長さを記録するための長さフィールド、を少なくとも含む。
【００２３】
表１は、下記のように、上りトラフィックデータのスケジューリングに対応するＲＲＣ構成テーブルである。
【００２４】
【表１】
2021520081.tif 000003
【００２５】
表２は、下記のように、Ａ−ＣＳＩ報告の報告に対応するＲＲＣ構成テーブルである。
【００２６】
【表２】
2021520081.tif 000004
【００２７】
ネットワーク側から送信されるＤＣＩに搬送されるリソース指示情報は、上記の番号フィールドの値である。移動端末は、リソース指示情報の値を取得した後、対応するＲＲＣ構成テーブルから、スケジューリングされたＰＵＳＣＨのスロットオフセット値、スロット開始シンボル及び長さを取得することができる。
【００２８】
本開示の具体的な実施例において、２つのリソース指示情報が存在する場合、それぞれ対応する構成テーブルから対応するスロットオフセットＫとＹを取得し、ＫとＹのうちの１つに基づいて１つのターゲットＰＵＳＣＨを決定して上りトラフィックデータとＡ−ＣＳＩ報告の伝送を同時に処理するか、又は異なるＫとＹに基づいて２つの異なるＰＵＳＣＨを決定して上りトラフィックデータとＡ−ＣＳＩ報告をそれぞれ伝送する。これについて、以下、それぞれのケースについて説明する。
【００２９】
ケース１
ケース１において、移動端末が受信するＤＣＩには、上りトラフィックデータに対応する第１リソース指示情報と、Ａ−ＣＳＩ報告に対応する第２リソース指示情報とが搬送され、この第１リソース指示情報は、第１スロットオフセット値Ｋに対応し、この第２リソース指示情報は、第２スロットオフセット値Ｙに対応する。
【００３０】
このとき、移動端末は、１つのターゲットＰＵＳＣＨを利用し、物理層の伝送されるべき上りトラフィックデータ及びＡ−ＣＳＩ報告の伝送処理を行う。このターゲットＰＵＳＣＨは、ＫとＹのうちの１つ、例えば大きい方によって決定される。
【００３１】
ケース２
ケース２において、移動端末が受信するＤＣＩには、上りトラフィックデータに対応する第１リソース指示情報と、Ａ−ＣＳＩ報告に対応する第２リソース指示情報とが搬送され、この第１リソース指示情報は、第１スロットオフセット値Ｋに対応し、この第２リソース指示情報は、第２スロットオフセット値Ｙに対応する。
【００３２】
このとき、ＫとＹが異なる場合、移動端末は、Ｋに対応する第１ターゲットＰＵＳＣＨを利用し、物理層の伝送されるべき上りトラフィックデータを伝送し、Ｙに対応する第２ターゲットＰＵＳＣＨを利用し、対応するＡ−ＣＳＩ報告を伝送する。
【００３３】
一方、ＫとＹが同一である場合、移動端末は、Ｋ（すなわち、Ｙ）に対応するターゲットＰＵＳＣＨを利用し、物理層の伝送されるべき上りトラフィックデータとＡ−ＣＳＩ報告を伝送する。
【００３４】
本開示の具体的な実施例において、リソース指示情報が１つしかない場合、そのとき、上りトラフィックデータのスケジューリング及びＡ−ＣＳＩ報告の報告は、同一のＲＲＣ構成テーブルが用いられる。このＲＲＣ構成テーブルは、以下の３種類の実現方式を有し、以下具体的に説明する。
【００３５】
方式１
方式１の場合、ネットワーク側と移動端末側に、下記の表３に示すように、上りトラフィックデータに対応する全てのスロットオフセット値と、Ａ−ＣＳＩ報告に対応する全てのスロットオフセット値とが記録された１つの構成テーブルが格納されている。具体的な応用において、ネットワーク側は、構成テーブル内の一部の行を選択して対応するＰＵＳＣＨを決定して伝送処理を行うように、ＲＲＣシグナリングにより移動端末に通知する。
【００３６】
【表３】
2021520081.tif 000005
【００３７】
移動端末は、唯一のリソース指示情報を受信すると、上記のＲＲＣ構成テーブルから対応するスロットオフセット値（Ｋ又はＹ）を取得し、更に、取得したスロットオフセットＫ又はＹに基づいて１つのターゲットＰＵＳＣＨを決定し、このターゲットＰＵＳＣＨによって、上りトラフィックデータとＡ−ＣＳＩ報告の伝送を同時に処理する。
【００３８】
すなわち、この方式において、移動端末が受信するＤＣＩには、１つの第４スロットオフセット値Ｋ又はＹに対応する１つの第４リソース指示情報のみが搬送される。このとき、移動端末は、１つのターゲットＰＵＳＣＨを利用し、物理層の伝送されるべき上りトラフィックデータとＡ−ＣＳＩ報告の伝送処理を行う。このターゲットＰＵＳＣＨは、Ｋ又はＹによって決定される。
【００３９】
なお、上記の表３は、ＫとＹが異なる場合の例であるが、ＫとＹの値が同じ場合は、対応する行が合併される。
【００４０】
方式２
方式２の場合、ネットワーク側と移動端末側に、下記の表４に示すように、ＫとＹの組み合わせによる全てのスロットオフセット値ペアを保持した１つの構成テーブルが格納されている。具体的な応用において、ネットワーク側は、構成テーブル内の一部の行を選択して対応するＰＵＳＣＨを決定して伝送処理を行うように、ＲＲＣシグナリングにより移動端末に通知する。
【００４１】
【表４】
2021520081.tif 000006
【００４２】
このとき、移動端末は、唯一のリソース指示情報を受信すると、上記のＲＲＣ構成テーブルから対応するスロットオフセットＫ、Ｙを取得する。移動端末は、現在上りトラフィックデータの伝送リクエストしかないと発見した場合、対応するスロットオフセットＫを使用して、上りトラフィックデータの伝送を処理するための１つのターゲットＰＵＳＣＨを決定する。一方、移動端末は、現在Ａ−ＣＳＩ報告の報告リクエストしかないと発見した場合、Ａ−ＣＳＩ報告の報告を処理するために、対応するスロットオフセットＹを使用して１つのターゲットＰＵＳＣＨを決定する。両方のリクエストが同時に存在する場合、Ｋ又はＹのいずれか、例えば大きい方によって１つのターゲットＰＵＳＣＨを決定し、上りトラフィックデータ及びＡ−ＣＳＩ報告の伝送を同時に処理する。
【００４３】
すなわち、この方式で移動端末が受信するＤＣＩには、１つのスロットオフセット値ペアに対応する１つの第３リソース表示情報のみが搬送され、このスロットオフセット値ペアは、上りトラフィックデータに対応する第１スロットオフセット値Ｋと、Ａ−ＣＳＩ報告に対応する第２スロットオフセット値Ｙを含む。このとき、移動端末は、１つのターゲットＰＵＳＣＨを利用し、物理層の伝送されるべき上りトラフィックデータとＡ−ＣＳＩ報告の伝送処理を行う。このターゲットＰＵＳＣＨは、Ｋ及びＹのうちの１つ、たとえば、Ｋ及びＹのうちの大きい方によって決定される。
【００４４】
上記の方式では、両方のリクエストが同時に存在する場合に、ＫとＹのどちらを使用するかを移動端末が決定するが、方式３のように予め設定されたＲＲＣ構成テーブルに基づいて決定してもよい。
【００４５】
方式３
方式３では、ＲＲＣ構成テーブルのフォーマットは、方式２におけるＲＲＣ構成テーブルのフォーマットと全く同じであり、下記表５に示すように、数値の違いに過ぎない。具体的な応用において、ネットワーク側は、構成テーブル内の一部の行を選択して対応するＰＵＳＣＨを決定して伝送処理を行うように、ＲＲＣシグナリングにより移動端末に通知する。
【００４６】
【表５】
2021520081.tif 000007
【００４７】
以下、表５を例に説明する。
【００４８】
表５に示されるＲＲＣ構成テーブルにおいて、スロットオフセット１は、Ａ−ＣＳＩ報告トリガ指示がＤＣＩに含まれないときに用いられるように定義され、スロットオフセット２は、Ａ−ＣＳＩ報告トリガ指示がＤＣＩに含まれるときに用いられるように定義される。
【００４９】
表５に示されるＲＲＣ構成テーブルにおいて、スロットオフセット２は、Ａ−ＣＳＩ報告トリガ指示がＤＣＩに含まれるときに用いられるように定義され、Ａ−ＣＳＩ報告の正常な報告を確実にするために、伝送されるべき上りトラフィックデータに対応するスロットオフセット値と、Ａ−ＣＳＩ報告に対応するスロットオフセット値とのうちの大きい方の値を取る。
【００５０】
このとき、移動端末は、唯一のリソース指示情報を受信すると、上記のＲＲＣ構成テーブルから対応するスロットオフセット１とスロットオフセット２を取得する。移動端末は、現在上りトラフィックデータの伝送リクエストしかないと発見した場合、対応するスロットオフセット１を使用して、上りトラフィックデータの伝送を処理するための１つのターゲットＰＵＳＣＨを決定する。ほかの場合、すなわちＡ−ＣＳＩ報告の報告リクエストしかなく、又は、上りトラフィックデータの伝送リクエストとＡ−ＣＳＩ報告の報告リクエストが同時にある場合、いずれも、スロットオフセット２を使用して、対応する伝送処理のために１つのターゲットＰＵＳＣＨを決定する。伝送されるべき上りトラフィックデータに対応するスロットオフセット値とＡ−ＣＳＩ報告に対応するスロットオフセット値のうちの大きい方がスロットオフセット２となるので、Ａ−ＣＳＩ報告の正常な報告を確実にすることができる。
【００５１】
特に、この方式では、移動端末が受信するＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送される。このとき、移動端末は、１つのターゲットＰＵＳＣＨを利用し、物理層の伝送されるべき上りトラフィックデータとＡ−ＣＳＩ報告の伝送処理を行う。このターゲットＰＵＳＣＨは、第６スロットオフセット値によって決定される。
【００５２】
第６スロットオフセット値は、伝送されるべき上りトラフィックデータに対応するスロットオフセット値と、Ａ−ＣＳＩ報告に対応するスロットオフセット値とのうちの大きい方である。
【００５３】
本開示で上記の一部又は全ての実施例において、１つのスロットオフセット値によって１つのターゲットＰＵＳＣＨを決定し、１つのターゲットＰＵＳＣＨを利用し、物理層の伝送されるべき上りトラフィックデータとＡ−ＣＳＩ報告の伝送処理を行う。
【００５４】
Ａ−ＣＳＩ報告は、指示の受信からＡ−ＣＳＩ報告が生成されるまでに、参照信号の受信及び復号化、計算などの操作を経る必要があり、一定の時間を要するため、決定されたスロットオフセットの前にＡ−ＣＳＩ報告が生成できない場合が生じる可能性があり、当然ながら生成できる可能性もある。
【００５５】
従って、ターゲットＰＵＳＣＨが決定された後、Ａ−ＣＳＩ報告は、１）ＣＳＩ参照リソース又はターゲット参照信号によって生成可能なＡ−ＣＳＩ報告と、２）ＣＳＩ参照リソース又はターゲット参照信号によって生成できないＡ−ＣＳＩ報告の２つのケースを含む。
【００５６】
ケース１において、生成されたＡ−ＣＳＩ報告を直接伝送すればよいが、ケース２において、以下のように様々な方式で処理する。
方式１：Ａ−ＣＳＩ報告の送信をキャンセルする。
方式２：Ａ−ＣＳＩ報告の送信をキャンセルするとともに、Ａ−ＣＳＩ報告が送信されなかったことをネットワーク側に指示し、ネットワーク側による無駄な検出操作を回避する。
方式３：Ａ−ＣＳＩ報告履歴で代用する。
【００５７】
すなわち、本開示の具体的な実施例において、１つのターゲットＰＵＳＣＨを利用し、物理層の伝送されるべき上りトラフィックデータとＡ−ＣＳＩ報告の伝送処理を行う場合、物理層の伝送されるべき上りトラフィックデータ及び所定のデータをこの１つのターゲットＰＵＳＣＨを利用して伝送し、又は、この１つのターゲットＰＵＳＣＨを利用し、前記物理層の伝送されるべき上りトラフィックデータを伝送し、前記Ａ−ＣＳＩ報告の伝送をキャンセルする。ここで、この所定のデータは、ＣＳＩ参照リソース又はターゲット参照信号から生成されたＡ−ＣＳＩ報告、Ａ−ＣＳＩ報告履歴又はＡ−ＣＳＩ報告が送信されなかったことを指示する指示情報のうちの１つである。
【００５８】
ここで、移動端末は、ＣＳＩ参照リソース又はターゲット参照信号から生成されたＡ−ＣＳＩ報告が可能か否かを次のような方法で判断できる。
【００５９】
１）最新のＡ−ＣＳＩ報告を報告する。
スロットオフセット値がＴであると仮定すると、Ａ−ＣＳＩ報告が周期的ＣＳＩ−ＲＳ（Ｐ−ＣＳＩ−ＲＳ）又は半継続的ＣＳＩ−ＲＳ（ＳＰ−ＣＳＩ−ＲＳ）に関連付けられていることをＤＣＩによって指示する場合、ＴがＺ（信号からＡ−ＣＳＩ報告を計算する時間）以上であるとき、最新のＡ−ＣＳＩ報告を報告できると決定する。
Ａ−ＣＳＩ報告が非周期的ＣＳＩ−ＲＳ（Ａ−ＣＳＩ−ＲＳ）と関連付けられていることをＤＣＩによって指示する場合、ＴがＸ（ＤＣＩとＡ−ＣＳＩ−ＲＳとの送信時間間隔）とＺとの和以上であるとき、最新のＡ−ＣＳＩ報告を報告できると決定する。
【００６０】
他の場合は、最新のＡ−ＣＳＩ報告を報告できないことを示すが、Ａ−ＣＳＩ報告の送信をキャンセルするか、Ａ−ＣＳＩ報告の送信をキャンセルするとともに、Ａ−ＣＳＩ報告が送信されなかったことをネットワーク側に指示し、ネットワーク側による無駄な検出操作を回避するか、Ａ−ＣＳＩ報告履歴で代用するかのいずれかしか採用できない。
【００６１】
前述したように、Ａ−ＣＳＩ報告は、周期的ＣＳＩ−ＲＳ（Ｐ−ＣＳＩ−ＲＳ）又は半持続的ＣＳＩ−ＲＳ（ＳＰ−ＣＳＩ−ＲＳ）に関連する可能性もあれば、非周期的ＣＳＩ−ＲＳ（Ａ−ＣＳＩ−ＲＳ）に関連する可能性もある。
本開示の具体的な実施例において、前記Ａ−ＣＳＩ報告の代わり使用するＡ−ＣＳＩ報告履歴は、準拠する参照信号のタイプと今回のＡ−ＣＳＩ報告が準拠する参照信号のタイプとが同じであるＡ−ＣＳＩ報告、あるいは、任意のタイプの参照信号による全てのＡ−ＣＳＩ報告履歴のうちの最新の報告である。
【００６２】
すなわち、Ａ−ＣＳＩ報告履歴は、周期的ＣＳＩ−ＲＳ（ｐｅｒｉｏｄｉｃ  ＣＳＩ−ＲＳ）、半持続的ＣＳＩ−ＲＳ（ｓｅｍｉ−ｐｅｒｓｉｓｔｅｎｔ  ＣＳＩ−ＲＳ）、又は非周期的ＣＳＩ−ＲＳ（ａｐｅｒｉｏｄｉｃ  ＣＳＩ−ＲＳ）に基づくことができる。Ａ−ＣＳＩ報告履歴は、選択可能に、同じタイプの参照信号に基づくことができる。時間が早すぎる場合、最も近いものを選択することができる。もちろん、他の戦略も可能であるが、ここでは逐一に記載しない。
【００６３】
図２に示すように、本開示の実施例は、ネットワーク機器に用いられる伝送方法を更に提供する。
この伝送方法において、
上りトラフィックデータのスケジューリング及びＡ−ＣＳＩ報告の報告を指示することに用いられ、少なくとも１つのリソース指示情報が搬送されるＤＣＩを移動端末に送信するステップ２０１と、
前記少なくとも１つのリソース指示情報によって決定されるＰＵＳＣＨで上りトラフィックデータ及びＡ−ＣＳＩ報告の受信処理を行うステップ２０２と、を含む。
【００６４】
本開示の実施例の伝送方法において、上りトラフィックデータのスケジューリング及びＡ−ＣＳＩ報告の報告を指示することに用いられ、少なくとも１つのリソース指示情報が搬送されるＤＣＩを移動端末に送信し、この少なくとも１つのリソース指示情報によって決定されるＰＵＳＣＨで上りトラフィックデータ及びＡ−ＣＳＩ報告の受信処理を行うことによって、上りトラフィックデータ伝送のスケジューリング及びＡ−ＣＳＩ報告のトリガを１つのＤＣＩによって同時に行う際に、上りトラフィックデータとＡ−ＣＳＩ報告の受信処理をどのようにするかを明らかにすることができる。
【００６５】
本開示の実施例において、選択可能に、前記ＤＣＩには、上りトラフィックデータに対応し、第１スロットオフセット値に対応する第１リソース指示情報と、Ａ−ＣＳＩ報告に対応する第２リソース指示情報とが搬送される。
ステップ２０２は、前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことを含む。
【００６６】
選択可能に、前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送される。
ステップ２０２は、前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことを含む。
【００６７】
選択可能に、前記ターゲットＰＵＳＣＨは、前記第１スロットオフセット値と前記第２スロットオフセット値のうちの大きい方によって決定されるＰＵＳＣＨである。
【００６８】
選択可能に、前記ＤＣＩには、１つの第４スロットオフセット値に対応する１つの第４リソース指示情報のみが搬送される。
ステップ２０２は、前記第４スロットオフセット値によって決定される１つのターゲットＰＵＳＣＨで上りトラフィックデータ及びＡ−ＣＳＩ報告の受信処理を行うことを含む。
【００６９】
更に、前記ネットワーク機器には、上りトラフィックデータに対応する全てのスロットオフセット値と、Ａ−ＣＳＩ報告に対応する全てのスロットオフセット値とが記録された構成テーブルが格納されている。
前記方法において、
ステップ２０１の前に、上りトラフィックデータに対応する第１スロットオフセット値と、Ａ−ＣＳＩ報告に対応する第２スロットオフセット値をそれぞれ決定することと、
前記構成テーブルから、前記第１スロットオフセット値と前記第２スロットオフセット値のうちの大きい方によって前記第４リソース指示情報を決定することとを更に含む。
【００７０】
選択可能に、前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送される。
ステップ２０２は、前記第６スロットオフセット値によって決定される１つのターゲットＰＵＳＣＨで上りトラフィックデータ及びＡ−ＣＳＩ報告の受信処理を行うことを含む。
【００７１】
選択可能に、前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送される。
ステップ２０２は、前記第１スロットオフセット値と前記第２スロットオフセット値とが異なる場合、前記第１スロットオフセット値に対応する第１ターゲットＰＵＳＣＨで前記上りトラフィックデータを受信し、前記第２スロットオフセット値に対応する第２ターゲットＰＵＳＣＨで前記Ａ−ＣＳＩ報告を受信すること、
又は、前記第１スロットオフセット値と前記第２スロットオフセット値が同じである場合、前記第１スロットオフセット値に対応するターゲットＰＵＳＣＨで前記上りトラフィックデータ及び前記Ａ−ＣＳＩ報告を受信することを含む。
【００７２】
上記実施例は、本開示の伝送方法を説明したが、以下、実施例と図面を通じて本開示の移動端末とネットワーク機器を説明する。
【００７３】
図３に示すように、本開示の実施例は、移動端末を更に提供する。
この移動端末は、
上りトラフィックデータのスケジューリング及びＡ−ＣＳＩ報告の報告を指示することに用いられ、少なくとも１つのリソース指示情報が搬送されるＤＣＩをネットワーク側から受信するための受信モジュール３１と、
前記少なくとも１つのリソース指示情報によって決定されるＰＵＳＣＨを利用し、物理層の伝送されるべき上りトラフィックデータ及びＡ−ＣＳＩ報告の伝送処理を行うための伝送処理モジュール３２と、を含む。
【００７４】
本開示の実施例の移動端末は、上りトラフィックデータのスケジューリング及びＡ−ＣＳＩ報告の報告を指示することに用いられ、少なくとも１つのリソース指示情報が搬送されるＤＣＩをネットワーク側から受信し、この少なくとも１つのリソース指示情報によって決定されるＰＵＳＣＨを利用し、物理層の伝送されるべき上りトラフィックデータ及びＡ−ＣＳＩ報告の伝送処理を行うことによって、上りトラフィックデータ伝送のスケジューリング及びＡ−ＣＳＩ報告のトリガを１つのＤＣＩによって同時に行う際に、上りトラフィックデータとＡ−ＣＳＩ報告をどのように伝送するかを明らかにすることができる。
【００７５】
本開示の実施例において、選択可能に、前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送される。
前記伝送処理モジュール３２は、具体的に、
前記第１スロットオフセット値及び前記第２スロットオフセット値のうちの１つによって決定される１つのターゲットＰＵＳＣＨを利用し、物理層の伝送されるべき上りトラフィックデータ及びＡ−ＣＳＩ報告の伝送処理を行うことに用いられる。
【００７６】
選択可能に、前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送される。
前記伝送処理モジュール３２は、具体的に、
前記第１スロットオフセット値及び前記第２スロットオフセット値のうちの１つによって決定される１つのターゲットＰＵＳＣＨを利用し、物理層の伝送されるべき上りトラフィックデータ及びＡ−ＣＳＩ報告の伝送処理を行うことに用いられる。
【００７７】
選択可能に、前記ターゲットＰＵＳＣＨは、前記第１スロットオフセット値と前記第２スロットオフセット値のうちの大きい方によって決定されるＰＵＳＣＨである。
【００７８】
選択可能に、前記ＤＣＩには、１つの第４スロットオフセット値に対応する１つの第４リソース指示情報のみが搬送される。
前記伝送処理モジュール３２は、具体的に、
前記第４スロットオフセット値によって決定される１つのターゲットＰＵＳＣＨを利用し、物理層の伝送されるべき上りトラフィックデータ及びＡ−ＣＳＩ報告の伝送処理を行うことに用いられる。
【００７９】
選択可能に、前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送される。
前記伝送処理モジュール３２は、具体的に、
前記第６スロットオフセット値によって決定される１つのターゲットＰＵＳＣＨを利用し、物理層の伝送されるべき上りトラフィックデータ及びＡ−ＣＳＩ報告の伝送処理を行うことに用いられる。
【００８０】
選択可能に、前記伝送処理モジュール３２は、具体的に、
前記１つのターゲットＰＵＳＣＨを利用し、前記物理層の伝送されるべき上りトラフィックデータ、及び所定のデータを伝送すること、
前記所定のデータは、ＣＳＩ参照リソース又はターゲット参照信号から生成されたＡ−ＣＳＩ報告、Ａ−ＣＳＩ報告履歴、又はＡ−ＣＳＩ報告が送信されなかったことを指示する指示情報のうちの１つであり、
又は、前記１つのターゲットＰＵＳＣＨを利用し、前記物理層の伝送されるべき上りトラフィックデータを伝送し、前記Ａ−ＣＳＩ報告の伝送をキャンセルすることに用いられる。
【００８１】
選択可能に、前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送される。
前記伝送処理モジュール３２は、具体的に、
前記第１スロットオフセット値と前記第２スロットオフセット値とが異なる場合、前記第１スロットオフセット値に対応する第１ターゲットＰＵＳＣＨを利用し、前記物理層の伝送されるべき上りトラフィックデータを伝送し、前記第２スロットオフセット値に対応する第２ターゲットＰＵＳＣＨを利用して前記Ａ−ＣＳＩ報告を伝送すること、
又は、前記第１スロットオフセット値と前記第２スロットオフセット値が同じである場合、前記第１スロットオフセット値（すなわち第２スロットオフセット値）に対応するターゲットＰＵＳＣＨを利用し、前記物理層の伝送されるべき上りトラフィックデータ及び前記Ａ−ＣＳＩ報告を伝送することに用いられる。
【００８２】
図４に示すように、本開示の実施例は、ネットワーク機器を更に提供する。
このネットワーク機器は、
上りトラフィックデータのスケジューリング及びＡ−ＣＳＩ報告の報告を指示することに用いられ、少なくとも１つのリソース指示情報が搬送されるＤＣＩを移動端末に送信するための送信モジュール４１と、
前記少なくとも１つのリソース指示情報によって決定されるＰＵＳＣＨで上りトラフィックデータ及びＡ−ＣＳＩ報告の受信処理を行うための受信処理モジュール４２と、を含む。
【００８３】
本開示の実施例のネットワーク機器は、上りトラフィックデータのスケジューリング及びＡ−ＣＳＩ報告の報告を指示することに用いられ、少なくとも１つのリソース指示情報が搬送されるＤＣＩを移動端末に送信し、この少なくとも１つのリソース指示情報によって決定されるＰＵＳＣＨで上りトラフィックデータ及びＡ−ＣＳＩ報告の受信処理を行うことによって、上りトラフィックデータ伝送のスケジューリング及びＡ−ＣＳＩ報告のトリガを１つのＤＣＩによって同時に行う際に、上りトラフィックデータとＡ−ＣＳＩ報告の受信処理をどのようにするかを明らかにすることができる。
【００８４】
本開示の実施例において、選択可能に、前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送される。
前記受信処理モジュール４２は、具体的に、
前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことに用いられる。
【００８５】
選択可能に、前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送される。
前記受信処理モジュール４２は、具体的に、
前記第１スロットオフセット値及び前記第２スロットオフセット値のうちの１つによって決定される１つのターゲットＰＵＳＣＨで上りトラフィックデータ及びＡ−ＣＳＩ報告の受信処理を行うことに用いられる。
【００８６】
選択可能に、前記ターゲットＰＵＳＣＨは、前記第１スロットオフセット値と前記第２スロットオフセット値のうちの大きい方によって決定されるＰＵＳＣＨである。
【００８７】
選択可能に、前記ＤＣＩには、１つの第４スロットオフセット値に対応する１つの第４リソース指示情報のみが搬送される。
前記受信処理モジュール４２は、具体的に、
前記第４スロットオフセット値によって決定される１つのターゲットＰＵＳＣＨで上りトラフィックデータ及びＡ−ＣＳＩ報告の受信処理を行うことに用いられる。
【００８８】
更に、前記ネットワーク機器には、上りトラフィックデータに対応する全てのスロットオフセット値と、Ａ−ＣＳＩ報告に対応する全てのスロットオフセット値とが記録された構成テーブルが格納されている。
前記ネットワーク機器は、
上りトラフィックデータに対応する第１スロットオフセット値と、Ａ−ＣＳＩ報告に対応する第２スロットオフセット値をそれぞれ決定するための第１決定モジュールと、
前記構成テーブルから、前記第１スロットオフセット値と前記第２スロットオフセット値のうちの大きい方によって前記第４リソース指示情報を決定するための第２決定モジュールと、を更に含む。
【００８９】
選択可能に、前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送される。
前記受信処理モジュール４２は、具体的に、
前記第６スロットオフセット値によって決定される１つのターゲットＰＵＳＣＨで上りトラフィックデータ及びＡ−ＣＳＩ報告の受信処理を行うことに用いられる。
【００９０】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送される。
前記受信処理モジュール４２は、具体的に、
前記第１スロットオフセット値と前記第２スロットオフセット値とが異なる場合、前記第１スロットオフセット値に対応する第１ターゲットＰＵＳＣＨで前記上りトラフィックデータを受信し、前記第２スロットオフセット値に対応する第２ターゲットＰＵＳＣＨで前記Ａ−ＣＳＩ報告を受信すること、
又は、前記第１スロットオフセット値と前記第２スロットオフセット値が同じである場合、前記第１スロットオフセット値に対応するターゲットＰＵＳＣＨで前記上りトラフィックデータ及び前記Ａ−ＣＳＩ報告を受信することに用いられる。
【００９１】
本開示の実施例は、プロセッサと、メモリと、前記メモリに格納され、前記プロセッサで動作するコンピュータプログラムとを含む移動端末を更に提供し、ここで、前記コンピュータプログラムが前記プロセッサによって実行されると、上記の移動端末に用いられる伝送方法の実施例の各プロセスが実現され、かつ同一の技術効果を奏することができるので、重複を避けるために、ここでは繰り返して記載しない。
【００９２】
具体的に、図５は、本開示の各実施例を実現する一種の移動端末のハードウェア構造を示す図である。移動端末５００は、ラジオ周波数ユニット５０１と、ネットワークモジュール５０２と、音声出力ユニット５０３と、入力ユニット５０４と、センサ５０５と、表示ユニット５０６と、ユーザ入力ユニット５０７と、インタフェースユニット５０８と、メモリ５０９と、プロセッサ５１０と、電源５１１などの構成要素を含むが、これらに限定されない。図５に示される端末の構造は、端末を限定するものではなく、移動端末は、図示されるよりも多い又は少ない構成要素を含むことができ、又は決定の構成要素を組み合わせることができ、又は異なる構成要素の構成を含むことができることを、当業者は理解可能である。本開示の実施例において、移動端末は、携帯電話、タブレットパソコン、ノートパソコン、パームトップパソコン、車載端末、ウェアラブルデバイス及び歩数計などを含むが、それらに限定されない。
【００９３】
ここで、ラジオ周波数ユニット５０１は、上りトラフィックデータのスケジューリング及びＡ−ＣＳＩ報告の報告を指示することに用いられ、少なくとも１つのリソース指示情報が搬送されるＤＣＩをネットワーク側から受信することに用いられる。
プロセッサ５１０は、前記少なくとも１つのリソース指示情報によって決定されるＰＵＳＣＨを利用し、物理層の伝送されるべき上りトラフィックデータ及びＡ−ＣＳＩ報告の伝送処理を行うことに用いられる。
【００９４】
本開示の実施例の移動端末５００は、上りトラフィックデータのスケジューリング及びＡ−ＣＳＩ報告の報告を指示することに用いられ、少なくとも１つのリソース指示情報が搬送されるＤＣＩをネットワーク側から受信し、この少なくとも１つのリソース指示情報によって決定されるＰＵＳＣＨを利用し、物理層の伝送されるべき上りトラフィックデータ及びＡ−ＣＳＩ報告の伝送処理を行うことによって、上りトラフィックデータ伝送のスケジューリング及びＡ−ＣＳＩ報告のトリガを１つのＤＣＩによって同時に行う際に、上りトラフィックデータとＡ−ＣＳＩ報告をどのように伝送するかを明らかにすることができる。
【００９５】
なお、本開示の実施例において、ラジオ周波数ユニット５０１は、情報の送受信又は通話中で信号の送受信に用いられ、具体的に、基地局からのダウンリンクデータを受信した後、プロセッサ５１０による処理に供し、また、アップリンクデータを基地局に送信する。一般に、ラジオ周波数ユニット５０１は、アンテナ、少なくとも１つの増幅器、トランシーバ、結合器、低雑音増幅器、デュプレクサなどを含むが、それらに限定されない。また、ラジオ周波数ユニット５０１は、無線通信システムを介してネットワークや他の機器と通信を行うこともできる。
【００９６】
移動端末は、ネットワークモジュール５０２を介して、電子メールの送受信、ウェブページの閲覧、ストリーミングメディアへのアクセスを支援するなど、無線ブロードバンドインターネットアクセスをユーザに提供する。
【００９７】
音声出力ユニット５０３は、ラジオ周波数ユニット５０１やネットワークモジュール５０２が受信した音声データや、メモリ５０９に格納された音声データを音声信号に変換して音声として出力することができる。また、音声出力ユニット５０３は、移動端末５００が実行する決定の機能に関する音声（例えば、呼出信号着信音、メッセージ着信音等）を出力してもよい。音声出力ユニット５０３は、スピーカ、ブザー及びレシーバなどを含む。
【００９８】
入力ユニット５０４は、音声や映像の信号を受信することに用いられる。入力ユニット５０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）５０４１と、マイク５０４２とを含む。処理された画像フレームは、表示ユニット５０６上に表示される。グラフィックスプロセッサ５０４１で処理された画像フレームは、メモリ５０９（又は他の記憶媒体）に記憶されるか、又はラジオ周波数ユニット５０１又はネットワークモジュール５０２を介して送信される。マイク５０４２は、音声を受信し、音声データに加工することができる。処理された音声データは、電話通話モードの場合、ラジオ周波数ユニット５０１を介して移動体通信基地局に送信可能な形式に変換して出力することができる。
【００９９】
移動端末５００は、光センサ、モーションセンサ及び他のセンサのような少なくとも１つのセンサ５０５を更に含む。具体的には、光センサは、周辺光センサ及び近接センサを含む。周辺光センサは、周辺光の明暗に応じて表示パネル５０６１の輝度を調節し、近接センサは、移動端末５００が耳に移動したときに表示パネル５０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ５０５は、指紋センサ、圧力センサ、虹彩センサ、分子センサ、ジャイロスコープ、気圧計、湿度計、温度計、赤外線センサなどを更に含むことができるが、ここでは枚挙しない。
【０１００】
表示ユニット５０６は、ユーザが入力した情報やユーザに提供した情報を表示するために用いられる。表示ユニット５０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル５０６１を含んでもよい。
【０１０１】
ユーザ入力ユニット５０７は、数字や文字情報の入力を受け付け、ユーザによる端末の設定や機能制御に関するキー信号の入力を行うことに用いられる。具体的に、ユーザ入力ユニット５０７は、タッチパネル５０７１と、その他の入力装置５０７２とを含む。タッチパネル５０７１は、タッチスクリーンとも呼ばれ、その上又は付近でのユーザのタッチ操作を取得可能である（たとえばユーザが指やスタイラスなどの任意の適切な物体や付属部材を用いたタッチパネル５０７１の上又はタッチパネル５０７１の付近での操作）。タッチパネル５０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ５１０に送り、プロセッサ５１０からの命令を受信して実行する。なお、タッチパネル５０７１は、抵抗膜式、静電容量式、赤外線、表面弾性波など、種々の方式を用いて実現することができる。ユーザ入力ユニット５０７は、タッチパネル５０７１の他に、他の入力装置５０７２を含んでもよい。具体的に、他の入力装置５０７２は、物理的なキーボード、機能キー（例えば、音量調節キー、スイッチキーなど）、トラックボール、マウス、レバーを含むが、ここでは枚挙しない。
【０１０２】
更に、タッチパネル５０７１は、表示パネル５０６１に重ねられる。タッチパネル５０７１は、その上又はその近くでタッチ操作を検出すると、プロセッサ５１０に送信して、タッチイベントのタイプを決定する。次いで、プロセッサ５１０は、タッチイベントのタイプに応じて、対応する視覚的出力を表示パネル５０６１に提供する。図５では、タッチパネル５０７１と表示パネル５０６１は、独立した２つの部品として移動端末の入出力機能を実現するが、実施例によっては、タッチパネル５０７１と表示パネル５０６１を一体化して移動端末の入出力機能を実現することもでき、具体的にここでは限定しない。
【０１０３】
インタフェースユニット５０８は、外部装置と移動端末５００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット５０８は、外部装置から入力（たとえば、データ情報、電力など）を受信し、受信した入力を移動端末５００内の１つ以上の要素に伝送するために使用されてもよく、又は移動端末５００と外部装置との間でデータを伝送するために使用されてもよい。
【０１０４】
メモリ５０９は、ソフトウェアプログラム及び様々なデータを格納するために使用される。メモリ５０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ５０９は、高速ランダムアクセスメモリを含んでもよく、少なくとも１つの磁気ディスク記憶装置、フラッシュメモリデバイス、又は他の揮発性固体記憶デバイスなどの非揮発性メモリを含んでもよい。
【０１０５】
プロセッサ５１０は、端末の制御センタであり、各種インタフェースや回線を用いて端末全体の各部を接続し、メモリ５０９に格納されたソフトウェアプログラム及び／又はモジュールを実行、メモリ５０９に格納されたデータを呼び出して端末の各種機能及び処理データを実行し、端末全体の監視を行う。プロセッサ５１０は、１つ以上の処理ユニットを含んでもよい。選択可能に、プロセッサ５１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ５１０に統合されなくてもよいことが理解される。
【０１０６】
移動端末５００は、各構成要素に電力を供給するためのバッテリのような電源５１１を更に含んでもよい。選択可能に、電源５１１は、電源管理システムを介してプロセッサ５１０に論理的に接続されてもよく、電源管理システムを介して充電、放電、及び消費電力管理などを管理する機能を実現してもよい。
【０１０７】
また、移動端末５００は、図示しない機能モジュールを更に含んでもよく、ここでの説明は省略する。
【０１０８】
本開示の実施例は、プロセッサと、メモリと、前記メモリに格納され、前記プロセッサで動作するコンピュータプログラムとを含むネットワーク機器を更に提供し、ここで、前記コンピュータプログラムが前記プロセッサによって実行されると、上記のネットワーク機器に用いられる伝送方法の実施例の各プロセスが実現され、かつ同一の技術効果を奏することができるので、重複を避けるために、ここでは繰り返して記載しない。
【０１０９】
具体的に、図６は、本開示の各実施例を実現する一種のネットワーク機器のハードウェア構造を示す図である。前記ネットワーク機器６０は、バス６１と、トランシーバ６２と、アンテナ６３と、バスインタフェース６４と、プロセッサ６５と、メモリ６６を含むが、それらに限られない。
【０１１０】
本開示の実施例において、前記ネットワーク機器６０は、メモリ６６に格納され、プロセッサ６５で動作するコンピュータプログラムを更に含む。
コンピュータプログラムがプロセッサ６５により実行されると、
上りトラフィックデータのスケジューリング及びＡ−ＣＳＩ報告の報告を指示することに用いられ、少なくとも１つのリソース指示情報が搬送されるＤＣＩを移動端末に送信するステップと、
前記少なくとも１つのリソース指示情報によって決定されるＰＵＳＣＨで上りトラフィックデータ及びＡ−ＣＳＩ報告の受信処理を行うステップと、が実現される。
【０１１１】
トランシーバ６２は、プロセッサ６５による制御でデータを送受信することに用いられる。
【０１１２】
図６において、バスアーキテクチャ（バス６１で示す）は、任意数の相互接続するバスとブリッジを含む。バス６１は、プロセッサ６５をはじめとする１つ又は複数のプロセッサとメモリ６６をはじめとするメモリの各種類の回路が接続したものである。バス６１は、周辺イクイップメント、レギュレーター、電力管理回路などの各種類のほかの回路を接続したものであってもよい。これらは、いずれも本分野の公知事項であり、本文においてさらなる記載をしない。バスインタフェース６４により、バス６１とトランシーバ６２との間でインタフェースが提供される。トランシーバ６２は、１つの部品であってもよく、複数の受信機及び送信機など、複数の部品であってもよく、伝送媒体でほかの各種類の装置と通信するユニットとして提供される。プロセッサ６５に処理されたデータは、アンテナ６３を介して無線媒体で伝送される。更に、アンテナ６３は、データを受信し、データをプロセッサ６５に伝送する。
【０１１３】
プロセッサ６５は、バス６１と通常の処理を管理し、更に計時、周囲インタフェース、電圧調節、電源管理及びほかの制御機能など、様々な機能も提供する。メモリ６６は、プロセッサ６５による操作実行に用いられるデータを記憶ことに用いられる。
【０１１４】
選択可能に、プロセッサ６５は、ＣＰＵ、ＡＳＩＣ、ＦＰＧＡ又はＣＰＬＤである。
【０１１５】
本開示の実施例は、コンピュータプログラムが格納されているコンピュータ読み取り可能な記憶媒体を更に提供し、当該コンピュータプログラムがプロセッサによって実行されると、上記の伝送方法の実施例の各プロセスが実現され、かつ同じ技術効果を奏することもできるため、重複を避けるために、ここでは繰り返して記載しない。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ  ）、磁気ディスク又は光ディスクなど等である。
【０１１６】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１１７】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の移動端末（携帯電話、コンピュータ、サーバー、空調機又はネットワークデバイスなど）に実行させるいくつかの指令を含む。
【０１１８】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、全て本開示の保護範囲に含まれる。
【符号の説明】
【０１１９】
３１  受信モジュール
３２  伝送処理モジュール
４１  送信モジュール
４２  受信処理モジュール
６０  ネットワーク機器
６１  バス
６２  トランシーバ
６３  アンテナ
６４  バスインタフェース
６５  プロセッサ
６６  メモリ
５００  移動端末
５０１  ラジオ周波数ユニット
５０２  ネットワークモジュール
５０３  音声出力ユニット
５０４  入力ユニット
５０５  センサ
５０６  表示ユニット
５０７  ユーザ入力ユニット
５０８  インタフェースユニット
５０９  メモリ
５１０  プロセッサ
５１１  電源
５０４１  グラフィックスプロセッサ
５０４２  マイク
５０６１  表示パネル
５０７１  タッチパネル
５０７２  他の入力装置
【図１】
2021520081.tif 000008
【図２】
2021520081.tif 000009
【図３】
2021520081.tif 000010
【図４】
2021520081.tif 000011
【図５】
2021520081.tif 000012
【図６】
2021520081.tif 000013
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
移動端末に用いられる伝送方法において、
上りトラフィックデータのスケジューリング及びＡ−ＣＳＩ（Ａｐｅｒｉｏｄｉｃｉｔｙ−Ｃｈａｎｎｅｌ  Ｓｔａｔｅ  Ｉｎｆｏｒｍａｔｉｏｎ）報告の報告を指示することに用いられ、少なくとも１つのリソース指示情報が搬送されるＤＣＩ（Ｄｏｗｎｌｉｎｋ  Ｃｏｎｔｒｏｌ  Ｉｎｆｏｒｍａｔｉｏｎ）をネットワーク側から受信することと、
前記少なくとも１つのリソース指示情報によって決定されるＰＵＳＣＨ（Ｐｈｙｓｉｃａｌ  Ｕｐｌｉｎｋ  Ｓｈａｒｅｄ  Ｃｈａｎｎｅｌ）を利用し、物理層の伝送されるべき上りトラフィックデータ及びＡ−ＣＳＩ報告の伝送処理を行うことと、
を含む、伝送方法。
【請求項２】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨを利用し、物理層の伝送されるべき上りトラフィックデータ及びＡ−ＣＳＩ報告の伝送処理を行うことは、
前記第１スロットオフセット値及び前記第２スロットオフセット値のうちの大きい方によって決定される１つのターゲットＰＵＳＣＨを利用し、物理層の伝送されるべき上りトラフィックデータ及びＡ−ＣＳＩ報告の伝送処理を行うことを含み、
または、
前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送され、
前記のＰＵＳＣＨを利用し、物理層の伝送されるべき上りトラフィックデータ及びＡ−ＣＳＩ報告の伝送処理を行うことは、
前記第１スロットオフセット値及び前記第２スロットオフセット値のうちの大きい方によって決定される１つのターゲットＰＵＳＣＨを利用し、物理層の伝送されるべき上りトラフィックデータ及びＡ−ＣＳＩ報告の伝送処理を行うことを含み、
または、
前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送され、
前記のＰＵＳＣＨを利用し、物理層の伝送されるべき上りトラフィックデータ及びＡ−ＣＳＩ報告の伝送処理を行うことは、
前記第６スロットオフセット値によって決定される１つのターゲットＰＵＳＣＨを利用し、物理層の伝送されるべき上りトラフィックデータ及びＡ−ＣＳＩ報告の伝送処理を行うことを含む、請求項１に記載の伝送方法。
【請求項３】
前記ＤＣＩには、１つの第４スロットオフセット値に対応する１つの第４リソース指示情報のみが搬送され、
前記のＰＵＳＣＨを利用し、物理層の伝送されるべき上りトラフィックデータ及びＡ−ＣＳＩ報告の伝送処理を行うことは、
前記第４スロットオフセット値によって決定される１つのターゲットＰＵＳＣＨを利用し、物理層の伝送されるべき上りトラフィックデータ及びＡ−ＣＳＩ報告の伝送処理を行うことを含む、請求項１に記載の伝送方法。
【請求項４】
前記の１つのターゲットＰＵＳＣＨを利用し、物理層の伝送されるべき上りトラフィックデータ及びＡ−ＣＳＩ報告の伝送処理を行うことは、
前記１つのターゲットＰＵＳＣＨを利用し、前記物理層の伝送されるべき上りトラフィックデータ、及び所定のデータを伝送すること、
前記所定のデータは、ＣＳＩ参照リソース又はターゲット参照信号から生成されたＡ−ＣＳＩ報告、Ａ−ＣＳＩ報告履歴、又はＡ−ＣＳＩ報告が送信されなかったことを指示する指示情報のうちの１つであり、
又は、前記１つのターゲットＰＵＳＣＨを利用し、前記物理層の伝送されるべき上りトラフィックデータを伝送し、前記Ａ−ＣＳＩ報告の伝送をキャンセルすることを含む、請求項２又は３に記載の伝送方法。
【請求項５】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨを利用し、物理層の伝送されるべき上りトラフィックデータ及びＡ−ＣＳＩ報告の伝送処理を行うことは、
前記第１スロットオフセット値と前記第２スロットオフセット値とが異なる場合、前記第１スロットオフセット値に対応する第１ターゲットＰＵＳＣＨを利用し、前記物理層の伝送されるべき上りトラフィックデータを伝送し、前記第２スロットオフセット値に対応する第２ターゲットＰＵＳＣＨを利用して前記Ａ−ＣＳＩ報告を伝送すること、
又は、前記第１スロットオフセット値と前記第２スロットオフセット値が同じである場合、前記第１スロットオフセット値に対応するターゲットＰＵＳＣＨを利用し、前記物理層の伝送されるべき上りトラフィックデータ及び前記Ａ−ＣＳＩ報告を伝送することを含む、請求項１に記載の伝送方法。
【請求項６】
ネットワーク機器に用いられる伝送方法において、
上りトラフィックデータのスケジューリング及びＡ−ＣＳＩ報告の報告を指示することに用いられ、少なくとも１つのリソース指示情報が搬送されるＤＣＩを移動端末に送信することと、
前記少なくとも１つのリソース指示情報によって決定されるＰＵＳＣＨで上りトラフィックデータ及びＡ−ＣＳＩ報告の受信処理を行うこととを含む、伝送方法。
【請求項７】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨで上りトラフィックデータ及びＡ−ＣＳＩ報告の受信処理を行うことは、
前記第１スロットオフセット値及び前記第２スロットオフセット値のうちの大きい方によって決定される１つのターゲットＰＵＳＣＨで上りトラフィックデータ及びＡ−ＣＳＩ報告の受信処理を行うことを含み、
または、
前記ＤＣＩには、上りトラフィックデータに対応する第１スロットオフセット値と、Ａ−ＣＳＩ報告に対応する第２スロットオフセット値とを含む１つのスロットオフセット値ペアに対応する１つの第３リソース指示情報のみが搬送され、
前記のＰＵＳＣＨで上りトラフィックデータ及びＡ−ＣＳＩ報告の受信処理を行うことは、
前記第１スロットオフセット値及び前記第２スロットオフセット値のうちの大きい方によって決定される１つのターゲットＰＵＳＣＨで上りトラフィックデータ及びＡ−ＣＳＩ報告の受信処理を行うことを含み、
または、
前記ＤＣＩには、前記ＤＣＩがＡ−ＣＳＩ報告トリガ指示を含まない場合に用いられる第５スロットオフセット値と、前記ＤＣＩがＡ−ＣＳＩ報告トリガ指示を含む場合に用いられ、前記第５スロットオフセット値以上である第６スロットオフセット値とを含む１つのスロットオフセット値ペアに対応する１つの第５リソース指示情報のみが搬送され、
前記のＰＵＳＣＨで上りトラフィックデータ及びＡ−ＣＳＩ報告の受信処理を行うことは、
前記第６スロットオフセット値によって決定される１つのターゲットＰＵＳＣＨで上りトラフィックデータ及びＡ−ＣＳＩ報告の受信処理を行うことを含む、請求項６に記載の伝送方法。
【請求項８】
前記ＤＣＩには、１つの第４スロットオフセット値に対応する１つの第４リソース指示情報のみが搬送され、
前記のＰＵＳＣＨで上りトラフィックデータ及びＡ−ＣＳＩ報告の受信処理を行うことは、
前記第４スロットオフセット値によって決定される１つのターゲットＰＵＳＣＨで上りトラフィックデータ及びＡ−ＣＳＩ報告の受信処理を行うことを含む、請求項６に記載の伝送方法。
【請求項９】
前記ネットワーク機器には、上りトラフィックデータに対応する全てのスロットオフセット値と、Ａ−ＣＳＩ報告に対応する全てのスロットオフセット値とが記録された１つの構成テーブルが格納され、
上りトラフィックデータのスケジューリング及びＡ−ＣＳＩ報告の報告を指示することに用いられるＤＣＩを移動端末に送信する前に、
上りトラフィックデータに対応する第１スロットオフセット値と、Ａ−ＣＳＩ報告に対応する第２スロットオフセット値をそれぞれ決定することと、
前記構成テーブルから、前記第１スロットオフセット値と前記第２スロットオフセット値のうちの大きい方によって前記第４リソース指示情報を決定することとを更に含む、請求項８に記載の伝送方法。
【請求項１０】
前記ＤＣＩには、上りトラフィックデータに対応し、第１スロットオフセット値に対応する第１リソース指示情報と、Ａ−ＣＳＩ報告に対応し、第２スロットオフセット値に対応する第２リソース指示情報とが搬送され、
前記のＰＵＳＣＨで上りトラフィックデータ及びＡ−ＣＳＩ報告の受信処理を行うことは、
前記第１スロットオフセット値と前記第２スロットオフセット値とが異なる場合、前記第１スロットオフセット値に対応する第１ターゲットＰＵＳＣＨで前記上りトラフィックデータを受信し、前記第２スロットオフセット値に対応する第２ターゲットＰＵＳＣＨで前記Ａ−ＣＳＩ報告を受信すること、
又は、前記第１スロットオフセット値と前記第２スロットオフセット値が同じである場合、前記第１スロットオフセット値に対応するターゲットＰＵＳＣＨで前記上りトラフィックデータ及び前記Ａ−ＣＳＩ報告を受信することを含む、請求項６に記載の伝送方法。
【請求項１１】
上りトラフィックデータのスケジューリング及びＡ−ＣＳＩ報告の報告を指示することに用いられ、少なくとも１つのリソース指示情報が搬送されるＤＣＩをネットワーク側から受信するための受信モジュールと、
前記少なくとも１つのリソース指示情報によって決定されるＰＵＳＣＨを利用し、物理層の伝送されるべき上りトラフィックデータ及びＡ−ＣＳＩ報告の伝送処理を行うための伝送処理モジュールとを含む、移動端末。
【請求項１２】
前記ＤＣＩには、１つの第４スロットオフセット値に対応する１つの第４リソース指示情報のみが搬送され、
前記伝送処理モジュールは、具体的に、
前記第４スロットオフセット値によって決定される１つのターゲットＰＵＳＣＨを利用し、物理層の伝送されるべき上りトラフィックデータ及びＡ−ＣＳＩ報告の伝送処理を行うことに用いられる、請求項１１に記載の移動端末。
【請求項１３】
前記伝送処理モジュールは、具体的に、
前記１つのターゲットＰＵＳＣＨを利用し、前記物理層の伝送されるべき上りトラフィックデータ、及び所定のデータを伝送すること、
前記所定のデータは、ＣＳＩ参照リソース又はターゲット参照信号から生成されたＡ−ＣＳＩ報告、Ａ−ＣＳＩ報告履歴、又はＡ−ＣＳＩ報告が送信されなかったことを指示する指示情報のうちの１つであり、
又は、前記１つのターゲットＰＵＳＣＨを利用し、前記物理層の伝送されるべき上りトラフィックデータを伝送し、前記Ａ−ＣＳＩ報告の伝送をキャンセルすることに用いられる、請求項１２に記載の移動端末。
【請求項１４】
上りトラフィックデータのスケジューリング及びＡ−ＣＳＩ報告の報告を指示することに用いられ、少なくとも１つのリソース指示情報が搬送されるＤＣＩを移動端末に送信するための送信モジュールと、
前記少なくとも１つのリソース指示情報によって決定されるＰＵＳＣＨで上りトラフィックデータ及びＡ−ＣＳＩ報告の受信処理を行うための受信処理モジュールとを含む、ネットワーク機器。
【請求項１５】
前記ＤＣＩには、１つの第４スロットオフセット値に対応する１つの第４リソース指示情報のみが搬送され、
前記受信処理モジュールは、具体的に、
前記第４スロットオフセット値によって決定される１つのターゲットＰＵＳＣＨで上りトラフィックデータ及びＡ−ＣＳＩ報告の受信処理を行うことに用いられる、請求項１４に記載のネットワーク機器。
【国際調査報告】
2021520081.tif 000014
2021520081.tif 000015
2021520081.tif 000016
2021520081.tif 000017